(57)【要約】【課題】  個人等の作業を中断させることなくエコノミークラス症候群を予防することができるエリア別環境提供システム及び環境提供装置を提供する。【解決手段】  エリア別環境提供システム１は、空間６０ａ等それぞれに対して環境を提供する。エリア別環境提供システム１は、在席検出センサー群２０と、算出装置群４０と、パーソナル空調機群５０とを備える。在席検出センサー２０ａは、空間６０ａに属する個人７０ａの在席を検出する。算出装置４０ａは、連続時間を算出する。連続時間は、在席検出センサー２０ａが在席を検出している連続的な時間である。パーソナル空調機５０ａは、空間６０ａに対して温度環境を提供する。パーソナル空調機５０ａは、連続時間が所定時間以上となった場合に、空間６０ａに属する個人７０ａに触れずに、温度環境を変化させる。【選択図】      図１
2005106400.tif 000002
【特許請求の範囲】
【請求項１】
複数のエリア（６０ａ，６０ｂ，・・・）それぞれに対して環境を提供するためのエリア別環境提供システム（１，１００，２００，３００）であって、
それぞれの前記エリア（６０ａ，６０ｂ，・・・）に属する個人（７０ａ，７０ｂ，・・・）及び団体の少なくとも一方の在席を検出する在席検出装置（１０ａ，１０ｂ，・・・，２０ａ，２０ｂ，・・・）と、
前記在席検出装置（１０ａ，１０ｂ，・・・，２０ａ，２０ｂ，・・・）が前記在席を検出している連続的な時間である連続時間を算出する算出装置（４０ａ，４０ｂ，・・・）と、
それぞれの前記エリア（６０ａ，６０ｂ，・・・）に対して環境を提供する環境提供装置（５０，１５０，２５０，３５０）と、
を備え、
前記環境提供装置（５０，１５０，２５０，３５０）は、前記連続時間が所定時間以上となった場合に、それぞれの前記エリア（６０ａ，６０ｂ，・・・）に属する前記個人（７０ａ，７０ｂ，・・・）及び団体の少なくとも一方に触れずに、前記環境を変化させる、
エリア別環境提供システム（１，１００，２００，３００）。
【請求項２】
前記環境提供装置（５０，１５０，２５０，３５０）は、前記環境を徐々に不快にするように、前記環境を変化させる、
請求項１に記載のエリア別環境提供システム（１，１００，２００，３００）。
【請求項３】
前記環境は、温度環境、湿度環境、気流環境、臭いの環境、照明環境、音響環境及び超音波の環境の少なくとも１つを含む、
請求項１又は２のいずれかに記載のエリア別環境提供システム（１，１００，２００，３００）。
【請求項４】
前記環境は、気流環境、臭いの環境、音響環境及び超音波の環境の少なくとも１つを含み、
前記環境提供装置（５０，１５０，２５０，３５０）は、気流、臭い、音響及び超音波の少なくとも１つを徐々に強めるように、前記環境を変化させる、
請求項１に記載のエリア別環境提供システム（１，１００，２００，３００）。
【請求項５】
前記計測装置（４０ａ，４０ｂ，・・・）は、それぞれの前記エリア（６０ａ，６０ｂ，・・・）に属する前記個人（７０ａ，７０ｂ，・・・）及び団体の少なくとも一方の不在を前記在席検出装置（１０ａ，１０ｂ，・・・，２０ａ，２０ｂ，・・・）が検出した場合に、前記連続時間をリセットする、
請求項１から４のいずれかに記載のエリア別環境提供システム（１，１００，２００，３００）。
【請求項６】
複数のエリア（６０ａ，６０ｂ，・・・）それぞれに対して環境を提供するためのエリア別環境提供システム（１，１００，２００，３００）であって、
それぞれの前記エリア（６０ａ，６０ｂ，・・・）に属する個人（７０ａ，７０ｂ，・・・）及び団体の少なくとも一方の在席を検出する在席検出装置（１０ａ，１０ｂ，・・・，２０ａ，２０ｂ，・・・）と、
それぞれの前記エリア（６０ａ，６０ｂ，・・・）に属する前記個人（７０ａ，７０ｂ，・・・）及び団体の少なくとも一方の血流を検出する血流検出装置と、
前記血流検出装置が検出する前記血流の値が、前記在席検出装置（１０ａ，１０ｂ，・・・，２０ａ，２０ｂ，・・・）が前記在席を検出し始めたときにおいて前記血流検出装置が検出した前記血流の値である血流初期値に対して、低下している量である血流低下量と、前記在席検出装置（１０ａ，１０ｂ，・・・，２０ａ，２０ｂ，・・・）が前記在席を検出している連続的な時間である連続時間と、の少なくとも一方を算出する算出装置（４０ａ，４０ｂ，・・・）と、
それぞれの前記エリア（６０ａ，６０ｂ，・・・）に対して環境を提供する環境提供装置（５０，１５０，２５０，３５０）と、
を備え、
前記環境提供装置（５０，１５０，２５０，３５０）は、前記血流低下量が所定値以上となった場合、又は前記連続時間が所定時間以上となった場合に、それぞれの前記エリア（６０ａ，６０ｂ，・・・）に属する前記個人（７０ａ，７０ｂ，・・・）及び団体の少なくとも一方に触れずに、前記環境を変化させる、
エリア別環境提供システム（１，１００，２００，３００）。
【請求項７】
前記算出装置（４０ａ，４０ｂ，・・・）は、前記在席検出装置（１０ａ，１０ｂ，・・・，２０ａ，２０ｂ，・・・）が前記不在を検出した場合に、前記血流低下量と前記連続時間との少なくとも一方をリセットする、
請求項６に記載のエリア別環境提供システム（１，１００，２００，３００）。
【請求項８】
複数のエリア（６０ａ，６０ｂ，・・・）のそれぞれに属する個人（７０ａ，７０ｂ，・・・）及び団体の少なくとも一方の在席を検出する在席検出装置（１０ａ，１０ｂ，・・・，２０ａ，２０ｂ，・・・）が前記在席を検出している連続的な時間である連続時間を算出する算出装置（４０ａ，４０ｂ，・・・）から、前記連続時間の情報を受け取る受取部（５１ａ，５１ｂ，・・・）と、
それぞれの前記エリア（６０ａ，６０ｂ，・・・）に対して環境を提供する環境提供部（５２ａ，５２ｂ，・・・，１５２ａ，１５２ｂ，・・・，２５２ａ，２５２ｂ，・・・，３５２ａ，３５２ｂ，・・・）と、
を備え、
前記環境提供部（５２ａ，５２ｂ，・・・，１５２ａ，１５２ｂ，・・・，２５２ａ，２５２ｂ，・・・，３５２ａ，３５２ｂ，・・・）は、前記連続時間が所定時間以上となった場合に、それぞれの前記エリア（６０ａ，６０ｂ，・・・）に属する前記個人（７０ａ，７０ｂ，・・・）及び団体の少なくとも一方に触れずに、前記環境を変化させる、
環境提供装置（５０，１５０，２５０，３５０）。
【発明の詳細な説明】
【技術分野】
【０００１】
本発明は、エリア別環境提供システム及び環境提供装置に関する。特に、オフィス、乗り物などにおける、エリア別環境提供システム及び環境提供装置に関する。
【背景技術】
【０００２】
従来から、個人及び団体の少なくとも一方（以下、個人等とする）が連続して長時間座席に座ったままの状態になることにより、個人等の下肢の血流が悪くなり静脈に血のかたまり（血栓）ができ、この血栓により個人等の肺の血管を閉塞してしまう肺塞栓（俗にエコノミークラス症候群と呼ばれている）の危険性が指摘されている。このエコノミークラス症候群を予防するために、個人等の下肢の動きを検出し、その結果を報知する装置が提案されている（例えば、特許文献１参照。）。また、このエコノミークラス症候群を予防するために、個人等の血流を測定し、血流情報を表示し、個人等の下肢の筋肉を動かす機能を備えた装置が提案されている（例えば、特許文献２参照。）。
【特許文献１】特開２００２−２３８８７６  （第１−４頁、第１−７図）
【特許文献２】特開２００２−３１５７２８  （第１−４頁、第１−６図）
【発明の開示】
【発明が解決しようとする課題】
【０００３】
しかし、特許文献１の技術では、個人等に報知がなされるのみであり、個人等が離席するかどうかは個人等に任されているため、個人等が離席しない場合にエコノミークラス症候群が予防されないおそれがある。また、バイブレータ等により報知されるため、個人等が作業を行っている場合に、その作業が中断されるおそれがある。
特許文献２の技術では、個人等の下肢の筋肉が動かされるが、個人等が離席する場合に比べて、エコノミークラス症候群が十分に予防されないおそれがある。また、個人等の下肢の筋肉が動かされるため、個人等が作業を行っている場合に、その作業が中断されるおそれがある。
【０００４】
そこで、本発明の課題は、個人等の作業を中断させることなくエコノミークラス症候群を予防することができるエリア別環境提供システム及び環境提供装置を提供することにある。
【課題を解決するための手段】
【０００５】
請求項１に係るエリア別環境提供システムは、複数のエリアそれぞれに対して環境を提供するためのエリア別環境提供システムであって、在席検出装置と、算出装置と、環境提供装置とを備える。在席検出装置は、それぞれのエリアに属する個人及び団体の少なくとも一方（以下、個人等とする）の在席を検出する。算出装置は、連続時間を算出する。連続時間は、在席検出装置が在席を検出している連続的な時間である。環境提供装置は、それぞれのエリアに対して環境を提供する。環境提供装置は、連続時間が所定時間以上となった場合に、それぞれのエリアに属する個人等に触れずに、環境を変化させる。
【０００６】
このエリア別環境提供システムでは、在席検出装置が、それぞれのエリアに属する個人等の在席を検出する。算出装置が、在席の情報を在席検出装置から受け取ることができる。算出装置が、連続時間を算出する。環境提供装置が、連続時間の情報を算出装置から受け取ることができる。環境提供装置が、それぞれのエリアに対して環境を提供する。環境提供装置が、連続時間が所定時間以上となった場合に、それぞれのエリアに属する個人等に触れずに、環境を変化させる。
【０００７】
したがって、環境の変化を個人等が徐々に体感することができるため、個人等の作業を中断させることなく、個人等に離席を促すことができる。このため、個人等の作業を中断させることなくエコノミークラス症候群を予防することができる。
なお、連続時間は、在席検出装置が在席を検出している時間と在席検出装置が不在を検出している時間とが混在したようなものを含まない。
【０００８】
請求項２に係るエリア別環境提供システムは、請求項１に記載のエリア別環境提供システムであって、環境提供装置は、環境を徐々に不快にするように、環境を変化させる。
このエリア別環境提供システムでは、環境提供装置が、それぞれのエリアに対して環境を提供する。環境提供装置が、連続時間が所定時間以上となった場合に、それぞれのエリアに属する個人等に触れずに、環境を変化させる。環境提供装置が、環境を徐々に不快にするように、環境を変化させる。
【０００９】
したがって、環境が不快になったことを個人等が徐々に体感することができる。このため、個人等の作業を中断させることなく、個人等に離席を促すことができる。
請求項３に係るエリア別環境提供システムは、請求項１又は２のいずれかに記載のエリア別環境提供システムであって、環境は、温度環境、湿度環境、気流環境、臭いの環境、照明環境、音響環境及び超音波の環境の少なくとも１つを含む。
【００１０】
このエリア別環境提供システムでは、環境が、温度環境、湿度環境、気流環境、臭いの環境、照明環境、音響環境及び超音波の環境の少なくとも１つを含む。環境提供装置が、それぞれのエリアに対して環境を提供する。環境提供装置が、連続時間が所定時間以上となった場合に、それぞれのエリアに属する個人等に触れずに、環境を変化させる。
したがって、温度環境、湿度環境、気流環境、臭いの環境、照明環境、音響環境及び超音波の環境の少なくとも１つの変化を個人等が徐々に体感することができる。このため、個人等の作業を中断させることなく、個人等に離席を促すことができる。
【００１１】
請求項４に係るエリア別環境提供システムは、請求項１に記載のエリア別環境提供システムであって、環境は、気流環境、臭いの環境、音響環境及び超音波の環境の少なくとも１つを含む。環境提供装置は、気流、臭い、音響及び超音波の少なくとも１つを徐々に強めるように、環境を変化させる。
このエリア別環境提供システムでは、環境が、気流環境、臭いの環境、音響環境及び超音波の環境の少なくとも１つを含む。環境提供装置が、それぞれのエリアに対して環境を提供する。環境提供装置が、連続時間が所定時間以上となった場合に、それぞれのエリアに属する個人等に触れずに、環境を変化させる。環境提供装置が、気流、臭い、音響及び超音波の少なくとも１つを徐々に強めるように、環境を変化させる。
【００１２】
したがって、気流、臭い、音響及び超音波の少なくとも１つが強くなったことを個人等が徐々に体感することができる。このため、個人等の作業を中断させることなく、個人等に離席を促すことができる。
請求項５に係るエリア別環境提供システムは、請求項１から４のいずれかに記載のエリア別環境提供システムであって、算出装置は、それぞれのエリアに属する個人等の不在を在席検出装置が検出した場合に、連続時間をリセットする。
【００１３】
このエリア別環境提供システムでは、算出装置が、連続時間を計測する。算出装置が、それぞれのエリアに属する個人等の不在を在席検出装置が検出した場合に、連続時間をリセットする。
したがって、個人等が離席してから在席し始めたときも、算出装置が連続時間を計測することができる。このため、連続時間を正確に計測することができる。
【００１４】
請求項６に係るエリア別環境提供システムは、複数のエリアそれぞれに対して環境を提供するためのエリア別環境提供システムであって、在席検出装置と、血流検出装置と、計測装置と、環境提供装置とを備える。在席検出装置は、それぞれのエリアに属する個人等の在席を検出する。血流検出装置は、それぞれのエリアに属する個人等の血流を検出する。算出装置は、血流低下量と連続時間との少なくとも一方を計測する。血流低下量は、血流検出装置が検出する血流の値が、血流初期値に対して、低下している量である。血流初期値は、在席検出装置が在席を検出し始めたときにおいて血流検出装置が検出した血流の値である。連続時間は、在席検出装置が在席を検出している連続的な時間である。環境提供装置は、それぞれのエリアに対して環境を提供する。環境提供装置は、血流低下量が所定値以上となった場合、又は連続時間が所定時間以上となった場合に、それぞれのエリアに属する個人等に触れずに、環境を変化させる。
【００１５】
このエリア別環境提供システムでは、在席検出装置が、それぞれのエリアに属する個人等の在席を検出する。血流検出装置が、それぞれのエリアに属する個人等の血流を検出する。算出装置が、血流の情報を血流検出装置から受け取ることができる。算出装置が、在席の情報を在席検出装置から受け取ることができる。算出装置が、血流低下量と連続時間との少なくとも一方を算出する。環境提供装置が、血流低下量の情報と連続時間の情報との少なくとも一方を算出装置から受け取ることができる。環境提供装置が、それぞれのエリアに対して環境を提供する。環境提供装置が、血流低下量が所定値以上となった場合、又は連続時間が所定時間以上となった場合に、それぞれのエリアに属する個人等に触れずに、環境を徐々に変化させる。
【００１６】
したがって、連続時間が所定時間以上であるか血流低下量が所定量以上であれば、環境の変化を個人等が徐々に体感することができるため、個人等の作業を中断させることなく、個人等に離席を促すことができる。このため、個人等の作業を中断させることなくエコノミークラス症候群を予防することができる。
なお、連続時間は、在席検出装置が在席を検出している時間と在席検出装置が不在を検出している時間とが混在したようなものを含まない。「在席検出装置が在席を検出し始めたとき」とは、在席検出装置が１番最初に在席を検出し始めたときだけでなく、在席検出装置が不在を検出したあとに在席を検出し始めたときを含む。また、在席検出装置と血流検出装置とは、別々の装置であってもいいし、１つの装置であってもいい。
【００１７】
請求項７に係るエリア別環境提供システムは、請求項６に記載のエリア別環境提供システムであって、算出装置は、在席検出装置が不在を検出した場合に、血流低下量と連続時間との少なくとも一方をリセットする。
このエリア別環境提供システムでは、算出装置が、血流低下量と連続時間との少なくとも一方を算出する。算出装置が、在席検出装置が不在を検出した場合に、血流低下量と連続時間との少なくとも一方をリセットする。
【００１８】
したがって、個人等が離席してから在席し始めたときも、算出装置が血流低下量と連続時間との少なくとも一方を算出することができる。このため、血流低下量と連続時間との少なくとも一方を正確に算出することができる。
請求項８に係る環境提供装置は、受取部と、環境提供部とを備える。受取部は、算出装置から、連続時間の情報を受け取る。算出装置は、連続時間を計測する。連続時間は、在席検出装置が在席を検出している連続的な時間である。在席検出装置は、複数のエリアのそれぞれに属する個人等の在席を検出する。環境提供部は、それぞれのエリアに対して環境を提供する。環境提供部は、連続時間が所定時間以上となった場合に、それぞれのエリアに属する個人等に触れずに、環境を変化させる。
【００１９】
この環境提供装置では、受取部が、複数のエリアのそれぞれに属する個人等の在席を検出する在席検出装置が在席を検出している連続的な時間である連続時間を算出する算出装置から、連続時間の情報を受け取る。環境提供部が、受取部から連続時間の情報を受け取ることができる。環境提供部が、それぞれのエリアに対して環境を提供する。環境提供部が、連続時間が所定時間以上となった場合に、それぞれのエリアに属する個人等に触れずに、環境を変化させる。
【００２０】
したがって、環境の変化を個人等が徐々に体感することができるため、個人等の作業を中断させることなく、個人等に離席を促すことができる。このため、個人等の作業を中断させることなくエコノミークラス症候群を予防することができる。
なお、連続時間は、在席検出装置が在席を検出している時間と在席検出装置が不在を検出している時間とが混在したようなものを含まない。
【発明の効果】
【００２１】
請求項１に係るエリア別環境提供システムでは、環境の変化を個人等が徐々に体感することができるため、個人等の作業を中断させることなく、個人等に離席を促すことができる。このため、個人等の作業を中断させることなくエコノミークラス症候群を予防することができる。
請求項２に係るエリア別環境提供システムでは、環境が不快になったことを個人等が徐々に体感することができる。このため、個人等の作業を中断させることなく、個人等に離席を促すことができる。
【００２２】
請求項３に係るエリア別環境提供システムでは、温度環境、湿度環境、気流環境、臭いの環境、照明環境、音響環境及び超音波の環境の少なくとも１つの変化を個人等が徐々に体感することができる。このため、個人等の作業を中断させることなく、個人等に離席を促すことができる。
請求項４に係るエリア別環境提供システムでは、気流、臭い、音響及び超音波の少なくとも１つが強くなったことを個人等が徐々に体感することができる。このため、個人等の作業を中断させることなく、個人等に離席を促すことができる。
【００２３】
請求項５に係るエリア別環境提供システムでは、個人等が離席してから在席し始めたときも、算出装置が連続時間を算出することができる。このため、連続時間を正確に算出することができる。
請求項６に係るエリア別環境提供システムでは、連続時間が所定時間以上であるか血流低下量が所定量以上であれば、環境の変化を個人等が徐々に体感することができるため、個人等の作業を中断させることなく、個人等に離席を促すことができる。このため、個人等の作業を中断させることなくエコノミークラス症候群を予防することができる。
【００２４】
請求項７に係るエリア別環境提供システムでは、個人等が離席してから在席し始めたときも、算出装置が血流低下量と連続時間とを算出することができる。このため、血流低下量と連続時間とを正確に算出することができる。
請求項８に係る環境提供装置では、環境の変化を個人等が徐々に体感することができるため、個人等の作業を中断させることなく、個人等に離席を促すことができる。このため、個人等の作業を中断させることなくエコノミークラス症候群を予防することができる。
【発明を実施するための最良の形態】
【００２５】
［第１実施形態］
本発明の第１実施形態に係るエリア別環境提供システム１の概念図を図１，図２に示す。また、本発明の第１実施形態に係るエリア別環境提供システム１の各構成要素の構成図を図３に示す。図１に示すエリア別環境提供システム１は、主として空間群６０（６０ａ，６０ｂ，・・・）それぞれに温度環境を提供するためのシステムである。なお、空間群６０（６０ａ，６０ｂ，・・・）は、パーソナル空調機群５０（５０ａ，５０ｂ，・・・）の近傍空間である。
【００２６】
＜エリア別環境提供システム１の全体構成＞
図１，図２に示すように、このエリア別環境提供システム１は、主としてパーソナル空調機群５０（５０ａ，５０ｂ，・・・）と在席センサー群２０（２０ａ，２０ｂ，・・・）と算出装置群４０（４０ａ，４０ｂ，・・・）とを備える。在席センサー群２０（２０ａ，２０ｂ，・・・）は、パーソナル空調機群５０（５０ａ，５０ｂ，・・・）上において、個人群７０（７０ａ，７０ｂ，・・・）を認識できる場所に置かれる。算出装置群４０（４０ａ，４０ｂ，・・・）は、パーソナル空調機群５０（５０ａ，５０ｂ，・・・）付近に設置される。
【００２７】
＜在席センサー群２０（２０ａ，２０ｂ，・・・）の構成＞
図３に示すように、在席センサー２０ａは、主として検出部２１ａと通知部２２ａとを備える。
図３に示す検出部２１ａは、図２に示す空間６０ａに属する個人７０ａの在席を検出する。図３に示す通知部２２ａは、図２に示す個人７０ａの在席の情報を図３に示す検出部２１ａから受け取る。通知部２２ａは、図２に示す個人７０ａの在席の情報を算出装置４０ａに通知する。
【００２８】
他の在席センサー２０ｂ，・・・も、在席センサー２０ａと同様である。
＜算出装置群４０（４０ａ，４０ｂ，・・・）の構成＞
図３に示すように、算出装置４０ａは、主として第１受取部４１ａと算出部４３ａとを備える。
第１受取部４１ａは、図２に示す個人７０ａの在席の情報を在席センサー２０ａから受け取る。図３に示す第１受取部４１ａは、図２に示す個人７０ａの在席の情報を算出部４３ａに渡す。算出部４３ａは、図２に示す個人７０ａが在席している連続的な時間（以下、連続時間とする）を計測する。図３に示す算出部４３ａは、図２に示す個人７０ａの不在を在席センサー２０ａが検出した場合に、連続時間をリセットする。算出部４３ａは、連続時間の情報をパーソナル空調機５０ａへ渡す。
【００２９】
他の計測装置４０ｂ，・・・も、算出装置４０ａと同様である。
＜パーソナル空調機群５０（５０ａ，５０ｂ，・・・）の構成＞
図３に示すように、パーソナル空調機５０ａは、主として受取部５１ａと制御部５３ａと環境提供部５２ａとを備える。
受取部５１ａは、算出装置４０ａから連続時間の情報を受け取る。受取部５１ａは、連続時間の情報を制御部５３ａに渡す。制御部５３ａは、連続時間が所定時間以上であるか否か判断する。制御部５３ａは、連続時間が所定時間以上であると判断した場合、温度を徐々に上昇させる命令を環境提供部５２ａに渡す。環境提供部５２ａは、図３に示す空間６０ａに対して温度環境を提供する。環境提供部５２ａは、空間６０ａに属する個人７０ａに触れずに、温度を徐々に上昇するように温度環境を変化させる。
【００３０】
他のパーソナル空調機５０ｂ，・・・も、パーソナル空調機５０ａと同様である。
＜環境提供部群５２（５２ａ，５２ｂ，・・・）の構成＞
図３に示す環境提供部５２ａは、図２に示すように、主として圧縮機５２１ａ、凝縮器５２２ａ、蒸発器５２３ａ、クロスフローファン５２４ａ、プロペラファン５２５ａ、吹き出し口５２６ａ及び吸い込み口５２８ａを備える。このうち、圧縮機５２１ａ、凝縮器５２２ａ、蒸発器５２３ａ、クロスフローファン５２４ａ及びプロペラファン５２５ａは、パーソナル空調機５０ａの背面にある箱体５２７ａの中に内蔵される。吹き出し口５２６ａは、パーソナル空調機５０ａの前面パネルに設けられる。吸い込み口５２８ａは、パーソナル空調機５０ａの背面パネルに設けられる。吸い込み口５２８ａ、圧縮機５２１ａ、凝縮器５２２ａ及び蒸発器５２３ａを利用して生成された調和空気は、クロスフローファン５２４ａによって吹き出し口５２６ａを介して、空間６０ａに供給される。
【００３１】
他の環境提供部５２ｂ，・・・も、環境提供部５２ａと同様である。
＜エリア別環境提供システム１が空間群６０（６０ａ，６０ｂ，・・・）それぞれに温度環境を提供する処理の流れ＞
図１に示すエリア別環境提供システム１が空間群６０（６０ａ，６０ｂ，・・・）それぞれに温度環境を提供する処理の流れを、図４，図５に示すフローチャートを用いて説明する。ここでは、エリア別環境提供システム１が空間６０ａに温度環境を提供する場合について説明する。エリア別環境提供システム１が他の空間６０ｂ，・・・に温度環境を提供する場合についても同様である。
【００３２】
図４に示すステップＳ１では、電源がＯＮされる。すなわち、図３に示すパーソナル空調機５０ａの電源がＯＮされて、パーソナル空調機５０ａが起動される。
図４に示すステップＳ２では、通常制御される。すなわち、図２に示す個人７０ａによりパーソナル空調機５０ａに対して設定温度が入力され、その設定温度になるようにパーソナル空調機５０ａが制御される（図４で示す（１））。
【００３３】
図４に示すステップＳ３では、在席が検出される。すなわち、図３に示す在席センサー２０ａの検出部２１ａにより、図２に示す空間６０ａに属する個人７０ａの在席が検出される。図３に示す通知部２２ａにより、図２に示す個人７０ａの在席の情報が図３に示す検出部２１ａから受け取られる。通知部２２ａにより、図２に示す個人７０ａの在席の情報が図３に示す検出部２１ａから受け取られる。通知部２２ａにより、図２に示す個人７０ａの在席の情報が算出装置４０ａに通知される。図３に示す算出装置４０ａの第１受取部４１ａにより、図２に示す個人７０ａの在席の情報が在席センサー２０ａから受け取られる。図３に示す第１受取部４１ａにより、図２に示す個人７０ａの在席の情報が算出部４３ａに渡される。
【００３４】
図４に示すステップＳ４では、在席であるか否かが判断される。すなわち、図３に示す算出部４３ａにより、図２に示す個人７０ａが在席しているか否かが判断される。在席していると判断された場合は、ステップＳ６へ進められ、在席していないと判断された場合は、ステップＳ５へ進められる。
図４に示すステップＳ５では、連続時間がリセットされる。すなわち、図３に示す算出部４３ａにより、連続時間がリセットされて、連続時間が０分に戻される（図４で示す（１））。
【００３５】
図４に示すステップＳ６では、５分経過したか否かが判断される。すなわち、図３に示す算出部４３ａにより、タイマー（図示せず）が参照され、５分経過したか否かが判断される。５分経過したと判断された場合は、ステップＳ７へ進められ、５分経過していないと判断された場合は、ステップＳ６へ進められる。
図４に示すステップＳ７では、連続時間が算出される。すなわち、図３に示す算出部４３ａにより、タイマー（図示せず）が参照され、連続時間が算出される。算出部４３ａにより、連続時間の情報がパーソナル空調機５０ａへ渡される。パーソナル空調機５０ａの受取部５１ａにより、算出装置４０ａから連続時間の情報が受け取られる。受取部５１ａにより、連続時間の情報が制御部５３ａに渡される。
【００３６】
図４に示すステップＳ８では、連続時間が所定時間（例えば、６０分）以上であるか否かが判断される。すなわち、図３に示す制御部５３ａにより、連続時間が所定時間以上であるか否が判断される。連続時間が所定時間以上であると判断された場合は、ステップＳ９（図４，図５で示す（２））へ進められ、連続時間が所定時間以上でないと判断された場合は、ステップＳ３（図４で示す（１））へ進められる。
【００３７】
図５に示すステップＳ９では、温度環境が変化させられる。すなわち、図３に示す制御部５３ａにより、温度を徐々に上昇させる命令が環境提供部５２ａに渡される。環境提供部５２ａにより、空間６０ａに属する個人７０ａに触れられずに、温度が徐々に上昇させられるように温度環境が変化させられて、空間６０ａに対して温度環境が提供される。
図５に示すステップＳ１０では、電源がＯＦＦされるべきか否かが判断される。ＯＦＦされるべきであると判断された場合は、処理が終了され、ＯＦＦされるべきでないと判断された場合は、ステップＳ３（図５，図４に示す（１））へ進められる。
【００３８】
＜エリア別環境提供システム１に関する特徴＞
（１）
ここでは、図２に示す在席検出センサー２０ａが、空間６０ａに属する個人７０ａの在席を検出する。算出装置４０ａが、在席の情報を在席検出センサー２０ａから受け取る。算出装置４０ａが、連続時間を算出する。環境提供装置が、連続時間の情報を算出装置４０ａから受け取ることができる。パーソナル空調機５０ａが、空間６０ａに対して温度環境を提供する。パーソナル空調機５０ａが、連続時間が所定時間（例えば、６０分）以上となった場合に、空間６０ａに属する個人７０ａに触れずに、温度環境を変化させる。
【００３９】
したがって、温度環境の変化を個人７０ａが徐々に体感するため、個人７０ａの作業を中断させることなく、個人７０ａに離席が促される。このため、個人７０ａの作業を中断させることなくエコノミークラス症候群が予防される。
（２）
ここでは、図２に示すパーソナル空調機５０ａが、連続時間が所定時間（例えば、６０分）以上となった場合に、空間６０ａに属する個人７０ａに触れずに、温度環境を変化させる。パーソナル空調機５０ａが、温度を徐々に上昇させるように、すなわち温度環境を徐々に不快にするように、温度環境を変化させる。
【００４０】
したがって、温度環境が不快になったことを個人７０ａが徐々に体感する。このため、個人７０ａの作業を中断させることなく、個人７０ａに離席が促される。
（３）
ここでは、図２に示す算出装置４０ａが、連続時間を計測する。算出装置４０ａが、空間６０ａに属する個人７０ａの不在を在席検出センサー２０ａが検出した場合に、連続時間をリセットする。
【００４１】
したがって、個人７０ａが離席してから在席し始めたときも、算出装置４０ａにより連続時間が計測される。このため、連続時間が正確に計測される。
＜第１実施形態の変形例＞
（Ａ）連続時間は、図２に示す在席検出センサー２０ａが在席を検出している時間と在席検出センサー２０ａが不在を検出している時間とが混在したようなものを含まない。すなわち、連続時間は、個人７０ａが離席することなく在席していた連続的な時間である。温度環境を徐々に不快にするためには、温度が徐々に上昇させられるように温度環境が変化させられる代わりに、温度が徐々に低下させられるように温度環境が変化させられてもよい。温度環境の提供方法は、冷房であってもいいし、暖房であってもいい。在席センサー２０ａは、空間６０ａに属する個人７０ａの代わりに、空間６０ａに属する団体の在席を検出してもよい。その場合、パーソナル空調機５０ａは、空間６０ａに属する団体に触れずに、温度を徐々に上昇するように温度環境を変化させて、空間６０ａに対して温度環境を提供することになる。在席センサー２０ａは、空間６０ａに属する個人７０ａの代わりに、空間６０ａに属する個人７０ａ及び団体の在席を検出してもよい。その場合、パーソナル空調機５０ａは、空間６０ａに属する個人７０ａ及び団体に触れずに、温度を徐々に上昇するように温度環境を変化させて、空間６０ａに対して温度環境を提供することになる。
【００４２】
（Ｂ）パーソナル空調機５０ａが提供するのは、温度環境の代わりに、湿度環境であってもよい。この場合、パーソナル空調機５０ａが、湿度環境を徐々に不快にするように、湿度環境を変化させる。したがって、湿度環境が不快になったことを個人７０ａが徐々に体感する。このため、個人７０ａの作業を中断させることなく、個人７０ａに離席が促される。温度環境の提供方法は、除湿であってもいいし、加湿であってもいい。
【００４３】
（Ｃ）パーソナル空調機５０ａが提供するのは、温度環境の代わりに、気流環境であってもよい。この場合、パーソナル空調機５０ａが、気流環境を徐々に不快にするように、気流環境を変化させる。したがって、気流環境が不快になったことを個人７０ａが徐々に体感する。このため、個人７０ａの作業を中断させることなく、個人７０ａに離席が促される。また、気流環境を徐々に不快にするように気流環境を変化させる代わりに、気流を徐々に強くするように気流環境を変化させてもよい。この場合でも、気流が強くなったことを個人７０ａが徐々に体感する。このため、個人７０ａの作業を中断させることなく、個人７０ａに離席が促される。
【００４４】
（Ｄ）エリア別環境提供システム１には、端末装置群１０（１０ａ，１０ｂ，・・・）がさらに備えられてもよい。その場合、個人群７０（７０ａ，７０ｂ，・・・）の在席を検出するのは、在席センサー群２０（２０ａ，２０ｂ，・・・）の代わりに、端末装置群１０（１０ａ，１０ｂ，・・・）であってもよい。端末装置群１０（１０ａ，１０ｂ，・・・）が起動されることにより、個人群７０（７０ａ，７０ｂ，・・・）の在席が検出されてもいいし、端末装置群１０（１０ａ，１０ｂ，・・・）への入力が検出されることにより、個人群７０（７０ａ，７０ｂ，・・・）の在席が検出されてもいい。
【００４５】
（Ｅ）図１に示すエリア別環境提供システム１には、血流センサー群８０（８０ａ，８０ｂ，・・・）がさらに備えられてもよい。図３に示すように、血流センサー８０ａは、主として検出部８１ａと通知部８２ａとを備える。図３に示す検出部８１ａは、図２に示す空間６０ａに属する個人７０ａの血流を検出する。図３に示す通知部８２ａは、図２に示す個人７０ａの血流の情報を図３に示す検出部８１ａから受け取る。通知部８２ａは、図２に示す個人７０ａの血流の情報を図３に示す検出部８１ａから受け取る。通知部８２ａは、図２に示す個人７０ａの血流の情報を算出装置４０ａに通知する。他の血流センサー８０ｂ，・・・も、血流センサー８０ａと同様である。
【００４６】
この場合、図３に示す算出装置４０ａが、第２受取部４２ａをさらに備える。算出装置４０ａの第２受取部４２ａが、血流の情報を血流検出センサー８０ａから受け取る。算出装置４０ａの第１受取部４１ａが、在席の情報を在席検出センサー８０ａから受け取る。算出装置４０ａの算出部４３ａが、血流の情報を第２受取部４２ａから受け取り、在席の情報を第１受取部４１ａから受け取り、血流低下量と連続時間とを算出する。ここで、血流低下量は、血流検出センサー８０ａが検出する血流の値が、血流初期値に対して、低下している量である。血流初期値は、在席センサー２０ａの検出部２１ａが図２に示す個人７０ａの在席を検出し始めたときにおいて、血流検出センサー８０ａが検出した血流の値である。図３に示す算出装置４０ａの算出部４３ａが、在席検出センサー２０ａが不在を検出した場合に、血流低下量と連続時間とをリセットする。パーソナル空調機５０ａが、血流低下量の情報と連続時間の情報とを算出装置４０ａから受け取る。パーソナル空調機５０ａが、血流低下量が所定値（例えば、１ｍｌ／１００ｍｌ／ｍｉｎ）となった場合、又は連続時間が所定時間（例えば、６０分）となった場合に、図３に示す空間６０ａに属する個人７０ａに触れずに、温度環境を徐々に変化させて、空間６０ａに対して温度環境を提供する。
【００４７】
また、図１に示すエリア別環境提供システム１が空間群６０（６０ａ，６０ｂ，・・・）それぞれに温度環境を提供する処理の流れが次の点で第１実施形態と異なる。なお、図１に示すエリア別環境提供システム１が空間６０ａに温度環境を提供する場合について説明するが、エリア別環境提供システム１が他の空間６０ｂ，・・・に温度環境を提供する場合についても同様である。図６，図７において、図４，図５に示す第１実施形態と同様の処理は、同じ番号で示してある。
【００４８】
図６に示すステップＳ１１では、血流低下量と連続時間とがリセットされる。すなわち、図３に示す算出装置４０ａの算出部４３ａにより、血流低下量と連続時間とがリセットされ、血流低下量が０ｍｌ／１００ｍｌ／ｍｉｎに戻され、連続時間が０分に戻される。（図６で示す（１））。
図６に示すステップＳ１２では、血流が検出される。すなわち、図３に示す検出部８１ａにより、図２に示す空間６０ａに属する個人７０ａの血流が検出される。図３に示す通知部８２ａにより、図２に示す個人７０ａの血流の情報が図３に示す検出部８１ａから受け取られる。通知部８２ａにより、図２に示す個人７０ａの血流の情報が図３に示す検出部８１ａから受け取られる。通知部８２ａにより、図２に示す個人７０ａの血流の情報が算出装置４０ａに通知される。
【００４９】
図６に示すステップＳ１３では、血流低下量と連続時間とが算出される。すなわち、図３に示す算出部４３ａにより、タイマー（図示せず）が参照され、連続時間が算出される。図３に示す算出部４３ａにより、血流の値と血流初期値との差が計算され、血流低下量が算出される。算出部４３ａにより、血流低下量の情報と連続時間の情報とがパーソナル空調機５０ａへ渡される。パーソナル空調機５０ａの受取部５１ａは、算出装置４０ａから血流低下量の情報と連続時間の情報とを受け取る。受取部５１ａは、血流低下量の情報と連続時間の情報とを制御部５３ａに渡す（図６，図７で示す（２））。
【００５０】
図７に示すステップＳ１４では、連続時間が所定時間（例えば、６０分）以上であるか否かが判断される。すなわち、図３に示す制御部５３ａにより、連続時間が所定時間以上であるか否が判断される。連続時間が所定時間以上であると判断された場合は、ステップＳ９へ進められ、連続時間が所定時間以上でないと判断された場合は、ステップＳ１５へ進められる。
【００５１】
図７に示すステップＳ１５では、血流低下量が所定量（例えば、１ｍｌ／１００ｍｌ／ｍｉｎ）以上であるか否かが判断される。すなわち、図３に示す制御部５３ａにより、血流低下量が所定量以上であるか否が判断される。血流低下量が所定量以上であると判断された場合は、ステップＳ９へ進められ、血流低下量が所定量以上でないと判断された場合は、ステップＳ３（図７，図６で示す（１））へ進められる。
【００５２】
したがって、血流低下量が所定量以上であれば、温度環境の変化を個人等が徐々に体感することができる。このため、離席すべき時間が個人７０ａ，７０ｂ，・・・毎に異なる場合でも、個人７０ａの作業を中断させることなくエコノミークラス症候群が予防される。
（Ｆ）図１に示すエリア別環境提供システム１に血流センサー群８０（８０ａ，８０ｂ，・・・）がさらに備えられている場合に、図３に示す在席センサー２０ａと血流センサー８０ａとは、１つの検出装置であってもよい。この場合、例えば、検出部２１ａは、検出装置の電源がＯＮされたことにより、図２に示す空間６０ａに属する個人７０ａの在席を検出するようにしてもよい。あるいは、例えば、検出部２１ａは、図２に示す空間６０ａに属する個人７０ａに装着されたことを検出装置が受ける圧力などを検出することにより、図２に示す空間６０ａに属する個人７０ａの在席を検出するようにしてもよい。また、この場合、図６に示すステップＳ１１で、血流低下量のみがリセットされるようにしてもよい。図６に示すステップＳ１３で、血流低下量のみが算出されるようにしてもよい。図７に示すステップＳ１４が省略されてもよい。このような場合でも、温度環境の変化を個人７０ａが徐々に体感するため、個人７０ａの作業を中断させることなく、個人７０ａに離席が促される。このため、個人７０ａの作業を中断させることなくエコノミークラス症候群が予防される。
【００５３】
［第２実施形態］
本発明の第２実施形態に係るエリア別環境提供システム１００を図８に示す。また、エリア別環境提供システム１００の各構成要素の構成図を図９に示す。図８，図９において、図１，図２，図３のエリア別環境提供システム１の構成要素と同様の構成要素は同じ番号で示してある。図８に示すエリア別環境提供システム１００は、主として空間群６０（６０ａ，６０ｂ，・・・）それぞれに温度環境を提供するためのシステムである。
【００５４】
このエリア別環境提供システム１００は、図８，図９に示すように、基本的な構造は第１実施形態と同様であり各構成要素は図３と同様であるが、パーソナル空調機群５０（５０ａ，５０ｂ，・・・）の代わりに普通のデスク群１９０（１９０ａ，１９０ｂ，・・・）と照明装置群１５０（１５０ａ，１５０ｂ，・・・）とが備えられている点で構成が異なる。すなわち、図９に示すように、照明装置１５０ａの制御部１５３ａは、連続時間が所定時間以上であると判断した場合、明るさを徐々に低下させる命令を環境提供部１５２ａに渡す。環境提供部１５２ａは、空間６０ａに属する個人７０ａに触れずに、明るさを徐々に低下するように照明環境を変化させて、空間６０ａに対して照明環境を提供する。これらの点で第１実施形態と異なる。なお、他の照明装置１５０ｂ，・・・についても、照明装置１５０ａと同様である。
【００５５】
照明環境の変化を個人７０ａが徐々に体感するため、個人７０ａの作業を中断させることなく、個人７０ａに離席が促される点は、第１実施形態と同様である。したがって、このようなエリア別環境提供システム１００によっても、個人７０ａの作業を中断させることなくエコノミークラス症候群が予防される。
＜第２実施形態の変形例＞
（Ａ）照明装置１５０ａは、明るさを徐々に低下するように音響環境を変化させる代わりに、明るさを徐々に上昇するように照明環境を変化させてもよい。この場合でも、照明が不快になったことを個人７０ａが徐々に体感する。このため、個人７０ａの作業を中断させることなく、個人７０ａに離席が促される。
【００５６】
（Ｂ）図８に示すエリア別環境提供システム１００は、普通のデスク群１９０（１９０ａ，１９０ｂ，・・・）の代わりに、図１に示すようなパーソナル空調機群５０（５０ａ，５０ｂ，・・・）を備えてもよい。この場合、照明装置群１５０（１５０ａ，１５０ｂ，・・）による環境の提供とパーソナル空調機群５０（５０ａ，５０ｂ，・・・）による環境の提供とが同時に行われることになる。
【００５７】
［第３実施形態］
本発明の第３実施形態に係るエリア別環境提供システム２００を図１０に示す。また、エリア別環境提供システム２００の各構成要素の構成図を図１１に示す。図１０，図１１において、図１，図２，図３のエリア別環境提供システム１の構成要素と同様の構成要素は同じ番号で示してある。図１０に示すエリア別環境提供システム２００は、主として空間群６０（６０ａ，６０ｂ，・・・）それぞれに音響環境を提供するためのシステムである。
【００５８】
このエリア別環境提供システム２００は、図１０，図１１に示すように、基本的な構造は第１実施形態と同様であり各構成要素は図３と同様であるが、パーソナル空調機群５０（５０ａ，５０ｂ，・・・）の代わりに普通のデスク群１９０（１９０ａ，１９０ｂ，・・・）と音響装置群２５０（２５０ａ，２５０ｂ，・・・）とが備えられている点で構成が異なる。すなわち、図１１に示すように、音響装置２５０ａの制御部２５３ａは、連続時間が所定時間以上であると判断した場合、音響環境を徐々に不快にする命令を環境提供部２５２ａに渡す。環境提供部２５２ａは、空間６０ａに属する個人７０ａに触れずに、音響環境を徐々に不快にするように音響環境を変化させて、空間６０ａに対して音響環境を提供する。これらの点で第１実施形態と異なる。なお、他の音響装置２５０ｂ，・・・についても、音響装置２５０ａと同様である。
【００５９】
音響環境の変化を個人７０ａが徐々に体感するため、個人７０ａの作業を中断させることなく、個人７０ａに離席が促される点は、第１実施形態と同様である。したがって、このようなエリア別環境提供システム２００によっても、個人７０ａの作業を中断させることなくエコノミークラス症候群が予防される。
＜第３実施形態の変形例＞
（Ａ）音響装置２５０ａが提供するのは、音響環境の代わりに、超音波の環境であってもよい。この場合、音響装置２５０ａが、超音波の環境を徐々に不快にするように、超音波の環境を変化させる。したがって、超音波の環境が不快になったことを個人７０ａが徐々に体感する。このため、個人７０ａの作業を中断させることなく、個人７０ａに離席が促される。超音波の周波数は、可聴域の周波数よりも高くてもいいし、可聴域の周波数よりも低くてもいい。また、超音波の環境を徐々に不快にするように超音波の環境を変化させる代わりに、超音波を徐々に強くするように超音波の環境を変化させてもよい。この場合でも、超音波が強くなったことを個人７０ａが徐々に体感する。このため、個人７０ａの作業を中断させることなく、個人７０ａに離席が促される。
【００６０】
（Ｂ）音響装置２５０ａは、音響環境を徐々に不快にするように音響環境を変化させる代わりに、音響を徐々に強くするように音響環境を変化させてもよい。この場合でも、音響が強くなったことを個人７０ａが徐々に体感する。このため、個人７０ａの作業を中断させることなく、個人７０ａに離席が促される。
［第４実施形態］
本発明の第４実施形態に係るエリア別環境提供システム３００を図１２に示す。また、エリア別環境提供システム３００の各構成要素の構成図を図１３に示す。図１２，図１３において、図１，図２，図３のエリア別環境提供システム１の構成要素と同様の構成要素は同じ番号で示してある。図１２に示すエリア別環境提供システム３００は、主として空間群６０（６０ａ，６０ｂ，・・・）それぞれに臭いの環境を提供するためのシステムである。
【００６１】
このエリア別環境提供システム３００は、図１２，図１３に示すように、基本的な構造は第１実施形態と同様であり各構成要素は図３と同様であるが、パーソナル空調機群５０（５０ａ，５０ｂ，・・・）の代わりに普通のデスク群１９０（１９０ａ，１９０ｂ，・・・）と発臭装置群３５０（３５０ａ，３５０ｂ，・・・）とが備えられている点で構成が異なる。すなわち、図１３に示すように、発臭装置３５０ａの制御部３５３ａは、連続時間が所定時間以上であると判断した場合、臭いを徐々に不快させる命令を環境提供部３５２ａに渡す。環境提供部３５２ａは、空間６０ａに属する個人７０ａに触れずに、臭いを徐々に不快するように臭いの環境を変化させて、空間６０ａに対して臭いの環境を提供する。これらの点で第１実施形態と異なる。なお、他の発臭装置３５０ｂ，・・・についても、発臭装置３５０ａと同様である。
【００６２】
臭いの環境の変化を個人７０ａが徐々に体感するため、個人７０ａの作業を中断させることなく、個人７０ａに離席が促される点は、第１実施形態と同様である。したがって、このようなエリア別環境提供システム３００によっても、個人７０ａの作業を中断させることなくエコノミークラス症候群が予防される。
＜第４実施形態の変形例＞
（Ａ）発臭装置３５０ａは、臭いの環境を徐々に不快にするように臭いの環境を変化させる代わりに、臭いを徐々に強くするように臭いの環境を変化させてもよい。この場合でも、臭いが強くなったことを個人７０ａが徐々に体感する。このため、個人７０ａの作業を中断させることなく、個人７０ａに離席が促される。
【産業上の利用可能性】
【００６３】
本発明にかかるエリア別環境提供システム及び環境提供装置は、個人等の作業を中断させることなくエコノミークラス症候群を予防することができるという効果を有し、エリア別環境提供システム及び環境提供装置等として有用である。
【図面の簡単な説明】
【００６４】
【図１】本発明の第１実施形態によるエリア別環境提供システムの概念図。
【図２】本発明の第１実施形態によるエリア別環境提供システムの概念図。
【図３】本発明の第１実施形態によるエリア別環境提供システムの構成図。
【図４】エリア別環境提供システムが空間群それぞれに温度環境を提供する処理の流れを示すフローチャート。
【図５】エリア別環境提供システムが空間群それぞれに温度環境を提供する処理の流れを示すフローチャート。
【図６】エリア別環境提供システムが空間群それぞれに温度環境を提供する処理の流れを示すフローチャート。
【図７】エリア別環境提供システムが空間群それぞれに温度環境を提供する処理の流れを示すフローチャート。
【図８】本発明の第２実施形態によるエリア別環境提供システムの概念図。
【図９】本発明の第２実施形態によるエリア別環境提供システムの構成図。
【図１０】本発明の第３実施形態によるエリア別環境提供システムの概念図。
【図１１】本発明の第３実施形態によるエリア別環境提供システムの構成図。
【図１２】本発明の第４実施形態によるエリア別環境提供システムの概念図。
【図１３】本発明の第４実施形態によるエリア別環境提供システムの構成図。
【符号の説明】
【００６５】
１，１００，２００，３００  エリア別環境提供システム
１０  端末装置群
２０  在席センサー群
４０  算出装置群
５０  パーソナル空調機群
６０  空間群
７０  個人群
８０  血流センサー群
１５０  照明装置群
１９０  デスク群
２５０  音響装置群
３５０  発臭装置群
【図１】
2005106400.tif 000003
【図２】
2005106400.tif 000004
【図３】
2005106400.tif 000005
【図４】
2005106400.tif 000006
【図５】
2005106400.tif 000007
【図６】
2005106400.tif 000008
【図７】
2005106400.tif 000009
【図８】
2005106400.tif 000010
【図９】
2005106400.tif 000011
【図１０】
2005106400.tif 000012
【図１１】
2005106400.tif 000013
【図１２】
2005106400.tif 000014
【図１３】
2005106400.tif 000015